Podtech/llm-jp-corpus-v4-ja_patent huggingface dataset:
(57)【要約】      （修正有）【課題】餌にするために釣った小魚を針から外すことなく、ヒラメ等の対象魚を釣る状態にすることができる釣り仕掛けを提供する。【解決手段】釣り仕掛は、釣り糸２の先にチチワ等の環状部３を設け、この環状部３に小魚用釣り針５を結んだ釣り糸４を結束した仕掛本体１と、釣り糸９の先端に対象魚用釣り針１０を結び、反対側の先端に脱着自由なスナップ等の留め具８を結んだ後付け糸付き針７から構成され、仕掛本体１に掛かった小魚６を小魚用釣り針５から外さず、環状部３に後付け糸付き針７の留め具８を装着し、対象魚用釣り針１０を小魚６に刺してヒラメ等の対象魚を釣ることができる。【選択図】図３
0003146488.tif 000002
【実用新案登録請求の範囲】
【請求項１】
釣り糸と釣り針からなる小魚を釣る仕掛と、釣り糸と釣り針からなり釣り針の反対側に脱着が自由な留め具を有した対象魚を釣るための後付け糸付き針から構成され、小魚を釣る仕掛は釣り針の上方に環状部を有しており、対象魚を釣るための後付け糸付き針が接続可能であり、小魚を釣る仕掛で釣った餌の小魚を針から外すことなく、対象魚を釣るための後付け糸付き針を後から装着し、餌の小魚に釣り針を刺し対象魚を釣る釣り仕掛。
【考案の詳細な説明】
【技術分野】
【０００１】  本考案は、投げ釣りや船釣りにおいて、ヒラメ等の対象魚を釣るために好適な釣り仕掛に関するものである。
【背景技術】
【０００２】  従来からヒラメ等の対象魚を釣る餌には、多くの場合、小魚が用いられてきた。餌にする小魚を釣り場で調達する場合、まず小魚用の仕掛で対象魚の餌となる小魚を釣り、釣った小魚を釣り針から外し、対象魚用の釣り針が大きい仕掛に付け替えて対象魚を釣っていた。
【考案の開示】
【考案が解決しようとする課題】
【０００３】  前記した従来の釣り方では、仕掛の交換、餌の小魚の付け替えが面倒で時間が掛かるといった問題があった。【０００４】  また、釣った小魚を釣り針から外すと弱ってしまうことが多く、対象魚の食いが落ちるといった問題があった。【０００５】  本考案はこれらの問題を解決しようとするものである。
【課題を解決するための手段】
【０００６】  本考案は、釣り糸と釣り針からなる小魚を釣る仕掛と、釣り糸と釣り針からなり釣り針の反対側に脱着が自由な留め具を有した対象魚を釣る後付け糸付き針から構成され、小魚を釣る仕掛は釣り針の上方に環状部を有しており、対象魚を釣る後付け糸付き針が接続可能な状態にすることにより問題を解決する。
【考案の効果】
【０００７】  前記した構成により、餌にする釣った小魚を針から外すことなく、対象魚を釣る後付け糸付き針を後から装着し釣り針を刺し、対象魚を釣ることが可能になる。仕掛の交換も必要なく便利である。また、後付け糸付き針は脱着自由であるため、餌の小魚が死んだら取り外し、再度、小魚を釣る仕掛で小魚を釣り、後付け糸付き針を装着し繰り返し釣れば良い。
【考案を実施するための最良の形態】
【０００８】  小魚を釣る仕掛本体の釣り竿側の釣り糸には強度のある太糸を用い、この釣り糸の先にチチワ等の環状部を設け、この環状部に小魚を釣るための小さい釣り針を結んだ釣り糸を結束する。【０００９】  対象魚を釣るための後付け糸付き針には強度のある太糸、大きな釣り針を用い、仕掛本体のチチワ等の環状部に接続ができるように、釣り針の反対側にはスナップ等の脱着が自由な留め具を設ける。【００１０】  小魚を釣る仕掛本体の環状部に、後付け糸付き針を装着した時の、後付け糸付き針の釣り針の位置は、仕掛本体の小魚を釣るための釣り針より、若干、先に位置することが望ましい。これは、仕掛本体の小魚を釣るための釣り針から釣った小魚を外さず、小魚の背びれ付近に後付け糸付き針の釣り針を刺しやすくするためである。
【実施例】
【００１１】  以下、添付図面に従って一実施例を説明する。【００１２】  図１は本考案釣り仕掛の仕掛本体に小魚が掛かった状態を示す図である。図１に示す通り、小魚を釣る仕掛本体の釣り糸（ア）２の先にチチワ等の環状部３を設け、この環状部３に小魚用釣り針５を結んだ釣り糸（イ）４を結束したものを仕掛本体１とする。【００１３】  図２は本考案釣り仕掛の後付け糸付き針の図である。図２に示す通り、釣り糸（ウ）９の先端に対象魚用釣り針１０を結び、反対側の先端に脱着自由なスナップ等の留め具８を結んだものを後付け糸付き針７とする。【００１４】  釣りの順序としては、最初に、図１に示す通り、仕掛本体１にて餌となる小魚６を釣り上げた後、図２に示す対象魚を釣るための後付け糸付き針７を装着し餌の小魚６に釣り針１０を刺し、対象魚を釣るものである。【００１５】  図３は本考案釣り仕掛の仕掛本体に掛かった小魚に、後付け糸付き針を装着した状態を示す図である。本考案釣り仕掛は、図３に示す通り、仕掛本体１に掛かった小魚６を、小魚用釣り針５から外さず、環状部３に後付け糸付き針７の留め具８を装着し、対象魚用釣り針１０を小魚６に刺してヒラメ等の対象魚を釣るものである。また、後付け糸付き針７の留め具８には脱着が自由なスナップ等を用いているため、餌の小魚６が死んだら、後付け糸付き針７を取り外し、再度、仕掛本体１で小魚を釣り、同様に後付け糸付き針７を装着し、対象魚を繰り返し釣ることができる。【００１６】  本考案の釣り仕掛の一実施例は前述の如き構成からなるものであり、釣り場で小魚を釣りながら、極めて簡単にヒラメ等の対象魚を釣ることができる便利な釣り仕掛である。
【図面の簡単な説明】
【００１７】
【図１】本考案釣り仕掛の仕掛本体に小魚が掛かった状態を示す図である。
【図２】本考案釣り仕掛の後付け糸付き針の図である。
【図３】本考案釣り仕掛の仕掛本体に掛かった小魚に、後付け糸付き針を装着した状態を示す図である。
【符号の説明】
【００１８】  １  仕掛本体
２  釣り糸（ア）
３  環状部
４  釣り糸（イ）
５  小魚用釣り針
６  小魚
７  後付け糸付き針
８  留め具
９  釣り糸（ウ）
１０  対象魚用釣り針
【図１】
0003146488.tif 000003
【図２】
0003146488.tif 000004
【図３】
0003146488.tif 000005
(57)【要約】      （修正有）【課題】椅子着座姿勢において、高齢者の方が飲食時、餅などの食べ物を、喉や気管に詰まらせて窒息する事故を、前傾姿勢を保持する可変機構を設けた椅子により危険性を減らし、介助者の不安、労力を軽減して世話が出来る高齢者用食事対応椅子を提供する。【解決手段】飲食時の前傾姿勢が、飲食物を喉や気管に詰まらせにくいと考え、前傾姿勢状態を保持する椅子とした。背もたれのみによる前傾姿勢では、臀部を前方移動すると姿勢が崩れる為、座面の奥行きを短かくして防ぐ事を特徴とする。常に前傾状態の椅子では使用頻度、時間が限定されるため、可変機構を設ける事で通常椅子としても利用出来るものとした。介助者が通常椅子から食事対応椅子に変更する事で作動を完了する。この機構はモータや油圧を使用していないため、軽量で故障の要因の少ない取扱いの楽なもとなり、介助者の不安、労力を軽減することに役立つ。【選択図】図３
0003146618.tif 000002
【実用新案登録請求の範囲】
【請求項１】
背もたれと座面前縁部を連動可動とし、背もたれを前傾させると座面前縁部が下方      に屈折するようにした高齢者用食事対応椅子。
【考案の詳細な説明】
【技術分野】
【０００１】
本考案は、背もたれ前傾と座面前縁部折れ下がりを、連動可変する機構を設けた、      椅子に関するものである。
【背景技術】
【０００２】
高齢者の方が飲食時に、餅などの食べ物を喉や気管に詰まらせて窒息し、死に至る    
事故が各所で数多く発生している。これは食べ物の問題と、もう一つは食事時の姿      勢が要因としてあり、今まで姿勢に着目した椅子の事例はなかった。
【考案の開示】
【考案が解決しようとする課題】
【０００３】
高齢者の方が飲食物を喉や気管に詰まらせて、窒息する要因の一つとして姿勢が上    げられる。これは本人の意思に関係なく、通常の椅子に着座して背もたれに身体を預    けると、自身の意思で姿勢を安定する事ができなくて、仰向け姿勢で食事を取るため    で、このため手馴れた介助者は食事の際は、前傾姿勢で常に食事をする事に気を配っ    ている。従って、飲食時の着座姿勢を仰向けから、前傾姿勢を保持できることにより    、前記の危険性を解決しようとするものである。
【課題を解決するための手段】
【０００４】
本考案は、通常椅子における着座姿勢から、飲食時には、介助者が手動で背もたれ    の固定部分を解除して前傾姿勢に可変させる事により、当事者を前傾姿勢に変化させ    る事が出来る。ただ、その時点で当事者が臀部を前方移動しては前傾姿勢とならない    ため、背もたれが前傾すると同時に、座面前縁部が折れ下がる連動可変機構により、    飲食物が喉に詰まりにくい前傾姿勢を保持出来る。
【実施例】
【０００５】
以下、添付図面に従って一実施例を説明する。１は食事対応時の前傾状態の背もた      れ、２は背もたれと連動して座面前縁部が折れ下がった状態。点線の通常椅子状態      から、食事対応椅子に可変する行程は、９の引張りスプリングで固定されている、      ３握手を下げる事により、ピン４を支点に、１の背もたれから伸びる、７の背もた      れ延長棒先端の、５の噛み込み部が解除され、１の背もたれを手動で前傾させ、も      う一方の噛み込みに入れる。それと同時に、２の座面前縁部が、８の連結棒により      背もたれ、１と連動し作動を完了する。
【０００６】
１１は当事者が前傾着座状態において、不用意に臀部を前方移動しないための、臀    部移動防止帯で、介助者によってのみ脱着出来るものである。
【０００７】
１２は当事者の意思で頭部の安定を保持出来ない場合の、頭部もたれ及び固定装置      であり、必要に応じての装着となる。
１３は身体の左右を保持するための肘掛けであり、椅子着座、立上り時に障害とな      る場合は取り除けるよう、脱着もしくは蝶番等による可動式とする。
【０００８】
脚部については、図１の中心１本型の他に、１４の４本脚構成や、両側面板状等の      展開が可能である。
【図面の簡単な説明】
【０００９】
【図１】本考案の飲食時の実施例を示す身体と椅子側面図である。
【図２】通常の椅子として機能する状態の身体と椅子の側面図である。
【図３】背もたれと座面前縁部の連動可変機構を示す詳細図である。
【図４】臀部移動防止帯を示す。
【図５】肘掛け及び頭部もたれを示す。
【図６】４本脚椅子展開の一例である。
【符号の説明】
【００１０】
１  背もたれ
２  座面前縁部
３  姿勢可変機構解除握手
４  ピン
５  噛み込み部
６  ピン
７  背もたれ延長板
８  連結棒
９  引張りスプリング
１０  左右繋ぎ丸棒
１１  臀部移動防止帯
１２  肘掛け（脱着式）
１３  頭部もたれ（脱着式）
１４  ４本脚
【図１】
0003146618.tif 000003
【図２】
0003146618.tif 000004
【図３】
0003146618.tif 000005
【図４】
0003146618.tif 000006
【図５】
0003146618.tif 000007
【図６】
0003146618.tif 000008
(57)【要約】      （修正有）【課題】投げ釣りにおいて虫餌以外の軟らかい餌を千切れたり、死なせたり、弱らせたりすること無く海底に運ぶことのできる餌ケース付遠投オモリを提供する。【解決手段】筒部１の頭部にはオモリ３を差込固定してある。更にこの筒部１の中程から上部に亘って餌収納口を形成し、更にその収納口を塞ぐ為に蓋２を形成している。頭部のオモリ３には鉛を使用し、更にそのオモリ３には作動棒６が通る穴を開ける。オモリ３を差込固定した頭部内側は傾斜に切った形とし、作動棒６が引っ掛からない状態に傾斜をつけてカバーを取り付ける。筒体１及び蓋２には、金属、プラスチックなどの成型可能な素材を使い、筒体１の中程に亘って、餌収納口を設け、更に収納口を塞ぐ蓋２を設ける。  尾部９はプラスチック又は硬質塩化ビニールなどの成型可能な樹脂を使い空気渦による抵抗を無くす為絞り込む。更に、尾部の絞り込まれていない部分の上部から絞り込まれた中心部に至る所に筒体１や蓋２・作動棒６などにハリスが絡みつかないように絡み防止線条体５を設ける。【選択図】図１
0003146611.tif 000002
【実用新案登録請求の範囲】
【請求項１】
尾部に道糸を挿通する絡み防止線条体５を有し且つ頭部にオモリを設けた筒体と、この筒体の尾部から頭部間に亘る中ほどに形成された餌収納部と、この餌収納部に開閉自在に装備された蓋体と、この蓋体が閉蓋ロックされた状態にて投入され且つオモリが海底に着座した際、その反動にて、尾部方向に移行して、前記閉蓋状態の蓋体をロック開放して開蓋する作動棒とでなしたことを特徴とした投げつり用餌ケース付遠投オモリ。
【請求項２】
蓋体の開口縁にＬ型のロック溝を形成し、且つ筒部に作動棒の後端にロック溝に引っ掛けるロック爪を設けた請求項１記載の投げつり用餌ケース付遠投オモリ。
【考案の詳細な説明】
【技術分野】
【０００１】
本考案は如何にして軟らかい餌を容易に海底まで運べるかに関するものである。
【考案の開示】
【考案が解決しようとする課題】
【０００２】
解決しようとする問題点は投げ釣りにおいて虫餌以外の軟らかい餌を千切れたり、死なせたり、弱らせたりすること無く海底に運ぶこと。
【課題を解決するための手段】
【０００３】
投げつり用オモリに餌を収納できるようにオモリ自体に餌収納ケースを設けその中に餌を収納し遠投する。
【考案の効果】
【０００４】
本考案の投げつり用餌収納ケース付遠投オモリは餌其の物を外部にさらす事無く収納ケースに入れてあるので餌其の物は千切れたり、死んだり、弱ったりしないという利点がある。
【考案を実施するための最良の形態】
【０００５】
本考案のオモリは、投げつり用オモリに餌を収納出来るようにオモリ自体に餌収納ケースを設けその中に餌を収納し遠投する。更に、食わせ餌の他に撒き餌やコマセなどを同時に収納し、魚を呼び寄せることも可能である。又、魚種により餌の違いがある為、狙った魚によりあらゆる餌を使用出来る事を可能にした投げ釣り用餌収納ケース付遠投オモリ。
例えば、ヒラメやマゴチなどは生きた小鰺や鰯を使用するが投げ釣りで遠投すると餌が千切れたり弱ったり脱落する恐れがある。それを見事に解決したのが投げつり用餌収納ケース付遠投オモリ。更にクロダイやマダイなどはエビ類などの餌を使用するが、そのまま仕掛けにセットし遠投しようとすると千切れたり、脱落したり、水面でしごけて仕掛けが着底した際には、餌がない場合が時々有るが、その不安を払拭するが如く解決したのが投げつり用餌ケース付遠投オモリ。
以下本考案を実施例の図面に基いて説明する。図１は投げつり用餌ケース付遠投オモリを示す斜視図であって金属、合成樹脂等にて形成された筒体１の尾部１aに道糸ｔを通すリングを有し、且つ頭部１ｂにオモリ３を設けている。
【０００６】
面して、この筒体１は尾部１aから頭部１ｂに向かい頭部中ほどに餌収納部ｃを備えており、この餌収納部ｃは開閉自在の蓋２を備えている。
【実施例】
【０００７】
以下本考案を実施例として、掲げた図面に基づいて説明すると、図１は投げつり用餌ケース付遠投オモリの蓋を開けた状態の斜視図を示し、筒部１の頭部にはオモリ３を差込固定してある。更にこの筒部１の中程から上部に亘って餌収納口を形成し、更にその収納口を塞ぐ為に蓋２を形成している。頭部のオモリ３には鉛を使用し、更にそのオモリ３には作動棒６が通る穴を開ける。オモリ３を差込固定した頭部内側は傾斜に切った形とし、作動棒６が引っ掛からない状態に傾斜をつけてカバーを取り付ける。更に餌が出やすいように頭部側からセットした餌を入れ、蓋２でハリスを挟みこむように蓋をする。
【０００８】
筒体１及び蓋２には、金属、プラスチック又は硬質塩化ビニールなどの成型可能な素材を使い筒体１の中程に亘って、餌収納口を設け、更に収納口を塞ぐ蓋２を設ける。
尾部９はプラスチック又は硬質塩化ビニールなどの成型可能な樹脂を使い空気渦による抵抗を無くす為絞り込む。図１−９・図４−９
更に、尾部の絞り込まれていない部分の上部から絞り込まれた中心部に至る所に筒体１や蓋２・作動棒６などにハリスが絡みつかないように絡み防止線条体５を設ける。
又、作動棒６や絡み防止線条体５はステンレスなどの錆びにくい材質の鋼棒を用いて製作。
更に蝶番７も同様にステンレス又は真鍮などの錆びにくい材質の物で製作。
本考案のポイントは海底の着座した際、海底に突き刺さったりしない様に作動棒の先端にリングを設けている。更に海底に着座と同時にその反動で作動棒６が頭部より尾部側に移動し、餌収納口蓋２の蓋止め１０が外れ筒体中程に付いた伸縮紐４の伸縮作用により餌収納口蓋２が図１の如く全開になりセットした餌が飛び出す投げつり用餌ケース付遠投オモリ。
【図面の簡単な説明】
【０００９】
【図１】本考案の斜視図である。
【図２】本考案の作動部拡大図である。
【図３】本考案の拡大断面図である。
【図４】本考案の平面図である。
【符号の説明】
【００１０】
１．筒体
２．蓋
３．オモリ
４．伸縮紐
５．絡み防止線条体
６．作動棒
７．蝶番
８．切り込み
９．尾部
１０．収納口蓋止め
1a.リング
1b.頭部
t.道糸
【図１】
0003146611.tif 000003
【図２】
0003146611.tif 000004
【図３】
0003146611.tif 000005
【図４】
0003146611.tif 000006
(57)【要約】      （修正有）【課題】重いバックをカートに付着させて楽々歩けるカート着脱マイバックを提供する。【解決手段】枠付き台部の前側面にベルト通しホールを設け、台部平面に磁石２個を設け、台部裏側に車輪４個を設け、手掛けベルトを１本設け、マイバックの外底にも磁石２個を設けたカート着脱マイバック。使用時には台部を床に置き、マイバックの磁石を台部の磁石と合わせることでマイバックを台部に固定し、手掛けベルトを手に持つことで引き歩くことができる。【選択図】図１
0003146657.tif 000002
【実用新案登録請求の範囲】
【請求項１】
枠付き台部の前側面にベルト通しホールを設け、台部平面に磁石２個を設け、台部裏側に車輪４個を設け、手掛けベルトを１本設け、マイバックの底外側にも磁石２個を設けたカート着脱マイバック。
【考案の詳細な説明】
【技術分野】
【０００１】  本発明は、重い荷物を楽々と運ぶために、マイバックに車輪を着脱できるカートに関するものである。
【背景技術】
【０００２】  従来、徒歩で買い物に出るときは、マイバックを持ち、また、ショッピングカーを引いて出かけることであった。
【考案の開示】
【考案が解決しようとする課題】
【０００３】  そのために次のような問題点があった。
（イ）  品物が多く入るとシニアは持ち帰ることが困難である。
（ロ）  遠方や身軽に出かけたい時、その帰りのためにショッピングカーを引いて出かけ        るわけにいかない場合もある。
本発明は以上の問題点を解決するためになされたものである。
【課題を解決するための手段】
【０００４】  枠付台部前側面にベルト通しホールを設け、台部平面に磁石２個を設け、台部裏面に車輪４個を設け、手掛けベルトを１本設け、マイバック外底にも磁石２個設けたカート着脱マイバック。
本発明は以上の構成よりなるカート着脱マイバックである。
【考案の効果】
【０００５】カート着脱マイバックを持ち気軽に出かけられる。
重い荷物を背負ったりぶらさげることもなく楽々歩くことができる。
【考案を実施するための最良の形態】
【０００６】以下、本発明の実施の形態を説明する。
（イ）枠付台部（１）の前部側面にベルト通しホール（２）を設け、台部平面に磁石２        個（３）（４）を設け、底面に車輪４個（５）（６）を設ける。
（ロ）面ファスナー付き手掛けベルト（７）設け、マイバック（８）の外底に磁石２個        設ける。。
本発明は以上のような構成でこれを使用する時は、マイバック（８）に着脱カートを入れて、品物を入れる時取り出し床に置き、手掛けベルト（７）を輪にして中央に置き品物が入ったマイバック（８）を輪にくぐらせ載せる。磁石によりカートとマイバックが固定される。手掛けベルトに手を掛け並び歩き又、手掛けホールにベルトをセットすると引き歩きができる。
【図面の簡単な説明】
【０００７】
【図１】  本発明の斜視図
【図２】  本発明のセット図
【符号の説明】
【０００８】  （１）枠付き台部（２）ベルト通しホール（３）（４）磁石（５）（６）車輪（７）手掛けベルト（８）マイバック
【図１】
0003146657.tif 000003
【図２】
0003146657.tif 000004
(57)【要約】      （修正有）【課題】太陽光熱を室外でカットし、室内温度を上がり難くし、省エネを図り、身体に安らぎを与える様にした、造花を使った日除けを提供する。【解決手段】板状の小物で一面には窓ガラスに接着出来る様に接着剤を付け、もう一面には造花を接続出来る突起を作り、造花と接続し、窓ガラスの室外側一面に並べて取り付け、網戸にも取り付けられる様に小穴を設け、針金で固定出来る様にし、日除けとする。これにより太陽光を５０−６０％カット出来、室温もあまり上がらず省エネが実現できる。【選択図】図３
0003146659.tif 000002
【実用新案登録請求の範囲】
【請求項１】
板状の小物で一面には窓ガラスに接着出来る様に接着剤を付けもう一面には造花を接続出来る突起を作り、造花と接続し、窓ガラスの室外側一面に並べて取り付け、網戸にも取り付けられる様に小穴を設け、針金で固定出来る様にし、日除けとする。
【考案の詳細な説明】
【考案の開示】
【考案が解決しようとする課題】
【産業上の利用分野】
【０００１】この考案は、カーテン、ブラインド等の様に直射日光や目線を避ける物の改良である。
【背景技術】
【０００２】従来のカーテン、ブラインド等は室内に太陽光が入ってからカットしていた、従って室内で太陽光熱が発生し室内の温度が上がり、快適な室内にする為多量のエネルギーを使っていた
【考案が解決しようとする課題】
【０００３】本考案はその欠点を除くため、室外で太陽光をカットし真夏の強い西日の入る暑い部屋でも小春日の様に気持ち良く、又省エネも達成する事を考えた物である。
【課題を解決するための手段】
【０００４】まず  そのデザインと目に対しての優しさ、取り付け簡単な方法等  いろいろ考え、図１の板を窓外側ガラスに接着し、図１の板と造花と接続し、窓ガラス一面にならべて、日除けとした。又、網戸にも取り付け可能にする為、針金の通る穴を数箇所開け可能とした。
【考案の効果】
【０００５】本考案はこの様な構造だから、室外で太陽光、紫外線をカットするので室内温度があまり上がらず、省エネにも役立ち、真夏でも小春日和の様に目にも優しく、心、身体にも休まる考案である、又  外からは見難く、室内からは  見やすく、防犯にも役立ち、身体にも良く効果は抜群である。
【実施例】
【０００６】真夏の西日の入る暑い部屋で、透明ガラスサッシに室外側に本考案物を設置したら、太陽光を５０％−６０％カット出来、室温もあまり上がらず  小春日和のようでクーラー温度調整も低くで済み省エネが実現出来た、緑色の造花を使用したので、紫外線もカット出来  身体にも良く  見た目も良く  快適な日々を送れた、台風の様な強い風以外は音も極小で最高でした。又  この板の長さの変更や、造花接続方法、本数を変えても効果は同じである。
【図面の簡単な説明】
【０００７】
【図１】考案物正面図
【図２】考案物側面図
【図３】設置図
【符号の説明】
【０００８】１            考案物小物正面図
２            窓ガラス
３            造花
４            考案物小物と造花の接続部分
【図１】
0003146659.tif 000003
【図２】
0003146659.tif 000004
【図３】
0003146659.tif 000005
【図４】
0003146659.tif 000006
【手続補正書】
【提出日】平成20年9月17日(2008.9.17)
【手続補正１】
【補正対象書類名】明細書
【補正対象項目名】０００７
【補正方法】変更
【補正の内容】
【０００７】
【図１】  考案物正面図
【図２】  考案物側面図
【図３】  設置図
【図４】  設置詳細図
(57)【要約】      （修正有）【課題】腹囲測定の際に巻尺計を被検者の臍の高さに合わせて任意の位置で固定できる測定器具を提供する。【解決手段】器具を固定具２により身長計等の支柱１に装着した例で示す。可動部分のつまみ５が被検者の腰部背側に密着する。格納部分３の内側には可動部分４が組み込まれており、可動部分４はバネ６の力で圧着板７と格納部分の正面側の板８との間で圧迫され固定された状態にある。上下の調節をする場合、測定者が可動部分のつまみ５を左から右方向に押さえることにより圧着板７と格納部分の正面側の板８との間の距離が開き可動部分４を上下に動かすことができるようになる。任意の高さで可動部分のつまみ５から手を離すと可動部分４はバネ６の力で圧着板７により圧迫されその高さで固定状態に復する。巻尺計を巻尺計の通る孔９に通しておけば巻尺計は臍の高さの任意の高さで保持される。【選択図】図２
0003146656.tif 000002
【実用新案登録請求の範囲】
【請求項１】
巻尺計を装着した可動部分が格納部分の中でバネの力で圧着板により圧迫されることで任意の高さで緩く固定されることができる構造を有する腹囲測定器具
【考案の詳細な説明】
【考案の詳細な説明】
【考案が解決しようとする課題】
【０００１】腹囲は立位被検者の臍高での測定値と定義されている。  従来、腹囲測定の際には測定実施者が巻尺を臍高に合わせて保持して、被検者に対して呼吸の指示を行ない、目盛値を判読するという三行為を同時に行なう必要があるために判読値が不正確になる可能性があった。
【問題を解決するための手段】
【０００２】上記の問題点を解決する目的で、巻尺計を臍の高さに合わせて上下に調節でき、かつ任意の高さで保持できるるようにするために、巻尺計と共に上下させる可動部分が格納部分の中でバネの力で圧着板により圧迫されることによって緩く固定できる構造とした。
【考案の効果】
【０００３】巻尺計と一体になって上下に動く可動部分を予め被検者の臍の高さに合わせて固定しておくことができることにより、測定実施者は被検者に対する呼吸の指示と目盛値の判読に集中することができるため正確な腹囲の測定が期待できる。
【図面の簡単な説明】
【図１】支柱に器具を装着した例での器具の正面図である。
【図２】支柱に器具を装着した例での図１中のＡ−Ｂ線での側面断面図である。可動部分が固定保持されている時の状態図である。
【図３】図２と同様の側面断面図である。可動部分を移動させる時の状態図である。
【符号の説明】
１    支柱
２    固定具
３    格納部分
４    可動部分
５    可動部分のつまみ
６    バネ
７    圧着板
８    格納部分の正面側の面
９    巻尺計の通る孔
【図１】
0003146656.tif 000003
【図２】
0003146656.tif 000004
【図３】
0003146656.tif 000005
(57)【要約】      （修正有）【課題】着脱を容易にし、安価にすることで木材利用を推進することができる木材ルーバーを提供する。【解決手段】縦支持部材と前記縦支持部材に所定間隔に設けられた止め具と、一部を前記止め具で係止された複数の格子棒を有する木製ルーバーである。縦支持部材や格子棒に切り込みを設けたり、縦支持部材をワイヤーで構成することもできる。【選択図】図１
0003146652.tif 000002
【実用新案登録請求の範囲】
【請求項１】
一本又は一対の縦支持部材を利用して複数の格子棒を着脱出来る事を特徴とした
木製ルーバー。
【請求項２】
複数の格子棒が上下の一定間隔を保ち取り付けられるように縦支持部材が止め具を
備えた請求項１記載の木製ルーバー。
【請求項３】
格子棒が上下の一定間隔を保持出来るようにスペーサーを使用する請求項１記載の木製ルーバー。
【請求項４】
使用する木材全てが塗装されている請求項１から請求項３までのいずれか１項記載の木製ルーバー。
【考案の詳細な説明】
【技術分野】
【０００１】
本考案は室内の日照調整をする一定間隔で配置された格子棒を有し、天然木材を利用した木製ルーバーに関する。
【背景技術】
【０００２】
室内日照の調整を行う建具としてルーバーがある。従来の木製ルーバーは特開2006-9424や実用新案登録第3079426号のように縦横を堅固な枠材で囲まれているため、着脱が容易ではなかった。又、部屋外部からの取り付けが主であったために使用する頻度もそんなに多くはなかった。故に日照の調整を行う目的としては布製のカーテンやプラスチック製やアルミ製のブラインドの方が多用されている。
【特許文献１】特開２００６−９４２４
【特許文献２】実用新案登録第３０７９４２６号
【考案の開示】
【考案が解決しようとする課題】
【０００３】
着脱を容易にし、かつ、安価にする事により木製ルーバーの利用を広め、木材利用を推進する。
【課題を解決するための手段】
【０００４】
縦横四方枠を利用せず、縦支持部材のみを先ず窓際の壁又は天井に取り付ける。この縦支持部材に格子棒を取り付けるストッパーを取り付ける。その縦支持部材に格子棒を１本ずつ取り付ける。その際、ネジや釘を使用しないで取り付けられるように工夫した。
【考案の効果】
【０００５】
政府が低炭素社会を提唱している今日、木材（特に国産間伐材）の有効利用は、これを実現するための足掛かりである。国産木材の利用が増えれば増えるほど、山に管理するための資金が還流され、日本林業の活性化に繋がり、ＣＯ2吸収量の多い管理された若い森林形成を助長する。
この木材の有効利用の場を増やす手段の一つとして本考案を利用したい。従来、安易に木材利用が出来なかった場所への利用が進む事により炭素貯蔵の新たな担い手を創設するものである。
天然木材を窓の内側に取り付ける事により断熱効果が上がり、室内の冷暖房の効きが良くなり、エネルギー消費が押さえられＣＯ2排出削減に繋がる。
又、格子棒の間からは自然光は常に取り入れる事が出来、状況によれば照明を節約する事でもＣＯ2削減に貢献の可能性を見出す。又、格子に色を塗る事で居室のイメージを容易に変える事が出来る。
従来、ルーバーとして多用されるアルミニウムは同体積の木材を製造する場合の1375倍のＣＯ2を製造時に排出すると言われている点を考慮し、木材有効利用を通じて地球温暖化防止に寄与する考案としたい。
【考案を実施するための最良の形態】
【０００６】
本考案は部材の寸法を変える事により、大小様々な開口部に使用可能であるが、最も使用頻度が多くなると予想される。事務室等の窓横幅1500ミリ、縦1500ミリを想定した考案を説明する。
【０００７】
居室の窓の上部に直径１ミリの一対のワイヤー（縦支持部材）を取り付ける。この際、ネジや金具を使用して取り付けるが、ワイヤーの間隔は1460ミリとし、窓の左右の端から各々20ミリ内側の点を通るようにする。このワイヤーに格子棒を取り付ける。
【０００８】
格子棒の長さは窓巾と同じ1500ミリとする。断面寸法は30ミリ角とし、両木口から20ミリの切り込みを入れる。切り込み巾は2ミリとする。
【０００９】
この格子棒を先に取り付けたワイヤーに取り付けるがその取り付け方は、ワイヤーに止め具を付けた場合とスペーサーを使用する方法がある。
【００１０】
格子棒は15ミリの隙間をあけて、窓最下部から窓最上部がほぼ隠れる位まで、本件の場合は33本の格子棒を使用する。日光の居室への照射を少なくしたければ15ミリの隙間を10ミリとする、等で対応する。
【実施例１】
【００１１】
格子棒取り付け用止め具を装備した一対のワイヤーを使用する。この止め具は45ミリ間隔で取り付ける。この一対のワイヤーに格子棒を取り付けると自動的に15ミリの隙間が出来る。この考案の特徴は外したい格子棒はいつでも外せる点である。
【実施例２】
【００１２】
格子棒取り付け用止め具を装備しない一対のワイヤーを使用する。格子棒と格子棒の間には15ミリのスペーサーを使用し、一番下から順に格子棒、スペーサーの順で積み上げる。このスペーサーは予めワイヤーに通して一体化しておく方法と、ワイヤーには通さずスペーサーにワイヤーに引っ掛けるための切り込みを入れた物を使用する方法がある。
【産業上の利用可能性】
【００１３】
居室の間仕切りにも使用出来る。
【図面の簡単な説明】
【００１４】
【図１】本考案の実施例１で示す。ワイヤーに格子棒取り付け用止め具を装備した物      で（ａ）は完成正面図、（ｂ）はワイヤーだけを吊るした状態を示す図。
【図２】本考案の実施例２で示す。スペーサーを使用した物で（ａ）は完成正面図、    （ｂ）はワイヤーにスペーサーを通した物を吊るした状態を示す図。
【図３】格子棒の立体図。    （ａ）ワイヤーに止め具が装備された場合の加工例の図。    （ｂ）スペーサー使用の場合の加工例の図。
【図４】格子棒を真横から見た図。    （ａ）ワイヤーに止め具が装備された場合の加工例の図。    （ｂ）スペーサー使用の場合の加工例の図。
【符号の説明】
【００１５】
１ 格子棒
２ ワイヤー（縦支持部材）
３ 止め具
４ スペーサー
５ 止め具引っ掛けスペース
６ ワイヤー（縦支持部材）引っ掛け用切り込み
【図１】
0003146652.tif 000003
【図２】
0003146652.tif 000004
【図３】
0003146652.tif 000005
【図４】
0003146652.tif 000006
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
縦支持部材と前記縦支持部材に所定間隔に設けられた止め具と、一部を前記止め具で係止された複数の格子棒を有する木製ルーバー。
【請求項２】
格子棒に切り込みを設け、止め具で係止した請求項１記載の木製ルーバー。
【請求項３】
縦支持部材及び格子棒の切り込みを複数個設け、請求項２記載の木製ルーバー。
【請求項４】
縦支持部材をワイヤーで構成した請求項１−３何れか１記載の木製ルーバー。
(57)【要約】      （修正有）【課題】多目的、例えばマット、敷物、手拭、雑巾等に使用できる布を提供する。【解決手段】レース布地１とタオル布地２とからなる二層布地の周囲が絹で縁取りされてなる布である。タオル布地として、例えば、市販の手拭い、バスマット等用のタオルを使用することができる。また、レース布地として例えば、市販のカーテン、衣服用のレース布地を使用することができる。多目的布は、マット、敷物、手拭、雑巾、テーブルクロス、布巾等に使用することができ、実用性にも優れたものである。また、長期間の使用に対しても耐久性に優れたものである。【選択図】図１
0003146655.tif 000002
【実用新案登録請求の範囲】
【請求項１】
タオル布地とレース布地とからなる二層布地の周囲が縁取りされてなる多目的布
【考案の詳細な説明】
【技術分野】
【０００１】  本考案は、例えばマット、敷物、手拭、雑巾等に使用される多目的布に関する。
【背景技術】
【０００２】  従来、マット、敷物はタオル地をそのまま使用した物があった。
【考案の開示】
【考案が解決しようとする課題】
【０００３】  しかしながら、タオル地は、手拭いには使用できるが、マット、手拭い等の単一の目的にしか使用されていなかった。
また、レース地には、テーブルクロス、カーテン等の単一の目的にしか使用されていなかった。多目的で使用できる布が要求されていた。
【課題を解決しようとする手段】
【０００４】  本考案は、タオル布地とレース布地とからなる二層布地の周囲が縁取りされてなる多目的布で、これにより上記課題を解決するものである。
【考案を実施するための最良の形態】
【０００５】  図１に示すように、本考案は、レース布地１とタオル布地２とからなる二層布地の周囲が絹で縁取りされてなる布である。本考案におけるタオル布地として、例えば、市販の手拭い、バスマット等用のタオルを使用することができる。また、レース布地として例えば、市販のカーテン、衣服用のレース布地を使用することができる。
【考案の効果】
【０００６】多目的布は、マット、敷物、手拭、雑巾、テーブルクロス、布巾等に使用することができ、実用性にも優れたものである。また、長期間の使用に対しても耐久性に優れたものである。
【図面の簡単な説明】
【０００７】本考案に係る多目的布の斜視図である。
【符号の説明】
【０００８】  １・・・レース布地
２・・・タオル布地
３・・・絹の縁取り
【図１】
0003146655.tif 000003
【手続補正書】
【提出日】平成20年9月18日(2008.9.18)
【手続補正１】
【補正対象書類名】明細書
【補正対象項目名】０００７
【補正方法】変更
【補正の内容】
【０００７】
【図１】は、本考案に係る多目的布の斜視図である。
(57)【要約】      （修正有）【課題】郵便物の補強材・クッション材として、また、店頭広告物の厚みを出す時のスペーサーとして使用するコーナーパットを提供する。【解決手段】郵便の封筒のコーナー・小包用のダンボールのコーナーに貼る。ダンボール梱包の際、外箱と内箱の間に貼りクッションとする。また、店頭広告物の厚みを出す為のスペーサーとしても使用出来る。コーナーパットに依り、郵便物の角ヤレや破れはなくなる。また、サイズも４種類あり材質もチップボール・ダンボール・発泡スチロールと３種類あり、それぞれ用途に合わせて選べるという利点がある。【選択図】図５
0003146635.tif 000002
【実用新案登録請求の範囲】
【請求項１】
形状と大きさが、三角形でも正方形でも長方形でもヌキの隠し刃が有る事に依り、使用簡処に於いて選べる。
【考案の詳細な説明】
【技術分野】
【０００１】
本考案は、郵便物の補強材・クッション材として、また、店頭広告物の厚みを出す時のスペーサーとして使用する。
【背景技術】
【０００２】
近年、郵便物の品質管理がなされないまま配送されている事が多くなってきた。
【考案の開示】
【考案が解決しようとする課題】
【０００３】
しかし、これでは、折れては困るものが、折れ曲がっていたり、つぶれていたりする事があり、届いた側には価値もなく、とても不快感を与えている。
【課題を解決するための手段】
【０００４】
本考案は、貼る事により角の強化ができ折れ曲がりを防ぐ。（図１）郵便封筒のコーナーに貼り付ける（図２）ダンボール梱包の場合も各コーナーに貼り付ける（図３）中身が外箱よりも小さいサイズの場合はクッション材として貼り付ける（図４）店頭広告物の厚みを出すスペーサーとして使用。
【考案の効果】
【０００５】
本考案のコーナーパットに依り、郵便物の角ヤレや破れはなくなる。また、サイズも４種類あり材質もチップボール・ダンボール・発泡スチロールと３種類あり、それぞれ用途に合わせて選べるという利点がある。
【考案を実施するための最良の形態】
【０００６】
型を作っておき、それぞれの材質を貼り合わせたものを抜く。
【図面の簡単な説明】
【０００７】
【図１】封筒の大きさ、送る中身の大きさに合わせコーナーに貼る。
【図２】小包用のダンボールのコーナーに貼る。
【図３】外箱、内箱の間に貼りクッションにする。
【図４】店頭広告物や室内パネル等に厚みを出す。
【図５】コーナーパット  スペーサー
【図１】
0003146635.tif 000003
【図２】
0003146635.tif 000004
【図３】
0003146635.tif 000005
【図４】
0003146635.tif 000006
【図５】
0003146635.tif 000007
【手続補正書】
【提出日】平成20年3月24日(2008.3.24)
【手続補正１】
【補正対象書類名】実用新案登録請求の範囲
【補正対象項目名】全文
【補正方法】変更
【補正の内容】
【実用新案登録請求の範囲】
【請求項１】
形状と大きさが、三角形でも正方形でも長方形でもヌキの隠し刃（明細書の図５より、対角線及び線の中央に有るミシン目）が有る事に依り、使用簡処に於いて選べる（ミシン目で切り取る）ことを特徴とするコーナーパット  スペーサー。
【手続補正書】
【提出日】平成20年6月20日(2008.6.20)
【手続補正１】
【補正対象書類名】実用新案登録請求の範囲
【補正対象項目名】全文
【補正方法】変更
【補正の内容】
【実用新案登録請求の範囲】
【請求項１】
形状と大きさが、三角形でも正方形でも長方形でもヌキの隠し刃（１０ｃｍ四方の正方形の対角線及び線の中央で二分の一倍、二分の一倍々に小さくしているミシン目。イメージとして明細書図５参照）が有る事に依り、隠し刃で切り取って、最大10ｃｍ四方の正方形から最小その十六分の一の二等辺三角形まで、使用簡処に於いてニーズに合ったものを選べることを特徴とするコーナーパット  スペーサー。
【手続補正書】
【提出日】平成20年9月19日(2008.9.19)
【手続補正１】
【補正対象書類名】実用新案登録請求の範囲
【補正対象項目名】全文
【補正方法】変更
【補正の内容】
【実用新案登録請求の範囲】
【請求項１】
形状と大きさが、元の大きさは１０ｃｍ四方の正方形の対角線及び縦方向横方向共に線の中央で二分の一倍、二分の一倍々に小さくしている線（折り紙で例えると対角線で三角形に折る線と四角形のまま半分に折っていく線）にミシン目で隠し刃をいれているパットから、三角形でも正方形でも長方形でもそのヌキの隠し刃（ミシン目の事）が有る事に依り、隠し刃で切り取って、最大10ｃｍ四方の正方形から最小その十六分の一の二等辺三角形まで、使用簡処に於いてニーズに合ったものを選べることを特徴とするコーナーパット  スペーサー。
(57)【要約】      （修正有）【課題】帽子のブリムの外周円部に埋め込まれた針金状の先端部分が分離することなく、長さを調節することができる帽子ブリムの安定器具を提供する。【解決手段】針金状の両先端部分に返し付突起物を設け筒状のジョイント部分に差し込むことによって針金状の両先端が結合され先端が分離しなくなる。又、針金状の複数の返し付突起物をブリムの外周円部の長さに合わせ突起物の中途部分を切断し結合することによって長さを調節することができる。【選択図】図１
0003146637.tif 000002
【実用新案登録請求の範囲】
【請求項１】
帽子のブリム外周円部に沿って入れる針金状の両先端に返し付突起物を設けてある物
【請求項２】
請求項１を特徴とする針金状の一方の先端に単数の返し付き突起物を設けもう一方の先端には針金状の物に沿って複数の返し付き突起物を設ける。
【請求項３】
請求項１を特徴とする返し付き突起物を結合する為に受け留める筒状のストッパー付ジョイント器具
【考案の詳細な説明】
【技術分野】
【０００１】帽子のブリムの外周円部の針金状の物が両先端部分で固定される。【０００２】帽子のブリムの外周円部の長さに関係なく１種類だけで対応出来る。
【背景技術】
【０００３】１種類あれば全てに対応出来るように出来ないか。
【考案の開示】
【考案が解決しようとする課題】
【０００４】今迄にも帽子のブリムの外周円部に針金状の物を入れることはあったが針金状の両端を重ねセロテープなどで留めた為セロテープなどの劣化により両端が分離した。【０００５】帽子のブリムの外周内部の長さが一定ではない為針金状の長さ種類が多く必要である。
【課題を解決する為の手段】
【０００６】針金状の一方の先端に返し付突起物を単数設けもう一方の端周辺に返し付突起物を針金状に沿って複数設けて筒状のストッパー付ジョイント部分に両端を差し込むことによって解決出来る。
【０００７】針金状に返し付突起物を複数設けた部分を帽子のブリムの外周円部の長さに合わせ切断し両端を筒状のストッパー付ジョイント部に差し込むことによってブリムの外周円部の長さにフィットする為針金状の種類を多く用意する必要が無くなる。
【考案の効果】
【０００８】針金状の端と端が分離しなくなる。
【０００９】長さの種類を揃える必要がなく無駄を省くことが出来る。
【考案を実施する為の最良の形態】
【００１０】図面によって説明する
図２の５の部分を３の筒状のストッパー付ジョイント部分に差込み６の部分を必要な長さで切断し３の筒状のストッパー付ジョイント部分のもう一方より差し込む図４である。
【実施例】
【産業上の利用可能性】
【００１１】帽子のブリムを大きく出来るので夏など屋外の作業等に最適である。
【図面の簡単な説明】
【００１２】
【図１】帽子のブリム外周円部に沿って針金状の物が入っている状態である。
【図２】針金状の分解図である。
【図３】筒状のジョイント内部のストッパー部分を正面から見た図
【図４】針金状の一方の複数突起物を必要な長さに切断し筒状のジョイント部分に両先端を差し込んだ図である。
【符号の説明】
【００１３】１  帽子のブリム部分
２  帽子のブリムの外周円部に埋め込められた針金状の物
３  針金状の物を結びつける筒状のジョイント器具
４  針金状の両端の返し付突起物を受け留める為の内周円部に沿った突起物
５  針金状の一方の返し付突起物
６  針金状のもう一方の返し付突起物
【図１】
0003146637.tif 000003
【図２】
0003146637.tif 000004
【図３】
0003146637.tif 000005
【図４】
0003146637.tif 000006
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
帽子のブリム外周円部に沿って入れる針金状の両先端に返し付き突起物が設けてある帽子ブリムの安定器具。
【請求項２】
前記針金状の両先端の内の一方の先端に単数の返し付き突起物を設け、もう一方の先端には針金状の物に沿って複数の返し付き突起物を設けた請求項１に記載の帽子ブリムの安定器具。
【請求項３】
前記帽子ブリム安定器具の針金状の一方の先端の単数の返し付き突起物ともう一方の先端の針金状の物に沿って複数の返し付き突起物の両端を結び付ける為の筒状内周円部に沿って畔状の突起物を設け針金状の返し付き突起物の両端を差し込んだ時に外れない為の筒状のストッパー付のジョイント器具を設けた帽子ブリムの安定器具。
【手続補正２】
【補正対象書類名】明細書
【補正対象項目名】０００４
【補正方法】変更
【補正の内容】
【０００４】今迄にも帽子のブリムの外周円部に針金状の物を入れることはあったが針金状の両端を重ねセロテープ（登録商標）などで留めた為セロテープ（登録商標）などの劣化により両端が分離した。
【手続補正書】
【提出日】平成20年8月21日(2008.8.21)
【手続補正１】
【補正対象書類名】実用新案登録請求の範囲
【補正対象項目名】請求項３
【補正方法】変更
【補正の内容】
【請求項３】
前記帽子ブリム安定器具の針金状の一方の先端の単数の返し付き突起物ともう一方の先端の針金状の物に沿って複数の返し付き突起物の両端を結び付ける為の筒状内周円部に沿って畔状の突起物を設け針金状の返し付き突起物の両端を差し込んだ時に外れない為の筒状のストッパー付のジョイント器具を設けた請求項１記載の帽子ブリムの安定器具。
(57)【要約】      （修正有）【課題】目を負傷した際に使用する眼帯に関して、目に当てるガーゼ等のパッドをずれにくくし、かつ、パッドが眼球に当たり、眼球を傷つけてしまうことを緩和するポケット付き眼帯を提供する。【解決手段】プラスチック製の眼帯本体の下部を長くし、折り曲げる。まず折り目１を内側に折り、折り目２も内側に折り、折り目３を外側に折れば、折り目３から下の面は下部の当てになり、折り目１と２の間に隙間が出来る。この隙間にガーゼ等のパッドを挿入すれば、眼帯のヒモにより横ズレは無く、下部は折り目１と２の隙間（ポケット）により下へ落ちることも無く、又、ポケットによりガーゼ等のパッドで目を圧迫したり、眼球を傷つけてしまうことを緩和することができる。又、装着も簡単で、ポケットに最初にガーゼ等のパッドを挿入していればそのまま耳に掛けるだけといったメリットもある。【選択図】図１
0003146638.tif 000002
【実用新案登録請求の範囲】
【請求項１】
プラスチック製の眼帯本体から形成されるポケットを有する眼帯
【請求項２】
プラスチック製の眼帯本体を折り曲げることにより使用できる請求項１に記載の眼帯
【考案の詳細な説明】
【技術分野】
【０００１】本考案は、眼帯に関し、ガーゼ等のパッドのズレを防止するとともに、パッドの圧迫により眼球が傷つくのを緩和することを目的としたものである。
【背景技術】
【０００２】この眼帯は、プラスチック製の眼帯本体と、本体を固定する耳掛けヒモとから構成される。そして、パッドをポケットに挿入し、耳掛けヒモによって眼帯本体を目に固定することで目を保護する。
【考案の開示】
【考案が解決しようとする課題】
【０００３】以前のような眼帯では、本体部分のフチでのみパッドを固定する為に、パッドがズレやすく、又、パッドで目を圧迫され、眼球が傷つきやすかった。
パッドがズレてしまうのなら、テープ等で固定すればいいだけの話である。
本考案は、パッドのズレを防ぎ、かつ、パッドで眼球を傷つけず、かつ、低コストで簡単に装着できることを課題とする。
【課題を解決するための手段】
【０００４】上記課題を解決する為に、本考案は次のような方法をとった。
請求項１に記載の考案は、プラスチック製の眼帯本体のみを使用するものとする。
請求項２に記載の考案は、眼帯本体を折り曲げるだけという簡単な作業で装着できるものとする。
この２つの手段により、パッドのズレを防ぎ、眼球を傷つけるのを緩和し、低コストで簡単装着が可能となる。
【考案の効果】
【０００５】請求項１に記載の考案は、折りまげないままの状態で出荷されることによりスペースをとらない為、店頭での販売が容易に出来ることである。
請求項２に記載の考案は、折りまげるだけという単純作業なので、誰にでも簡単に組み立てられ、装着出来るということである。
出来上がった眼帯のポケットにガーゼ等のパッドを挿入し、耳掛けヒモを耳に掛け、固定してみると、パッドが目を圧迫していないことが分かり、首を縦横に振っても、パッドがズレないことがよく分かる。
【実施例】
【０００６】図３の１の部分を内側に折る。そして２の部分をまた内側に折り、３の部分を外側に折れば完成である。その後１と２の隙間（ポケット）にガーゼ等のパッドを入れ、そのまま耳掛けヒモを使い、目に固定する。【０００７】この状態において活動すると、ポケット内にパッドがある為にパッドが目を直接刺激することもなく、又、パッドが上下左右にズレることも無く、安心して日常生活が営める。
【図面の簡単な説明】
【０００８】
【図１】眼帯本体の加工部分を示す斜視図である。
【図２】図１の断面図である。
【図３】眼帯を折り曲げる前の正面図である。
【符号の説明】
【０００９】１、折り目１
２、折り目２
３、折り目３
Ａ、眼帯本体
【図１】
0003146638.tif 000003
【図２】
0003146638.tif 000004
【図３】
0003146638.tif 000005
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の眼帯本体を、図３のように下部を長めにとり、１、２、３を折り曲げることにより形成されるポケットを有する眼帯。
【請求項２】
プラスチック製の眼帯本体の下部の１、２、３にあたる部分に折り目をつけ、そこを図１のように１を内側、２を内側、３を外側に折ることによって完成する請求項１に記載の眼帯。
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の眼帯本体の下部に、３つの折り目「１、２、３」を折り曲げることにより形成される、ポケットを有する眼帯。
【請求項２】
プラスチック製の眼帯本体の下部の折り目「１、２、３」のうち、折り目「１」を内側へ、折り目「２」を内側へ、折り目「３」を外側に折ることによって完成する、請求項１に記載の眼帯。